(57)【要約】【課題】ジャケット構造体を簡単にかつ確実に水平にセットすること。【解決手段】ジャケット構造体１を仮杭５上にセットするとき、水平調整装置１０を用いることでジャケット構造体１を水平の状態に調整してセットできるようにしている。水平調整装置１０としては、仮杭５の上にジャケット構造体１を載せたとき、仮杭５の先端に設けられた架台とジャケット構造体１の底部との間にスペーサ１１を介在させることで、ジャケット構造体１の全面が水平に安定して保たれるようにしている。【選択図】　図２
2004044199.tif 000002
【特許請求の範囲】
【請求項１】
水底地盤に立設された仮杭の上にジャケット構造体をセットするとき、前記ジャケット構造体を水平に調整保持して仮杭にセットすることを特徴とするジャケット構造体の施工方法。
【請求項２】
水底地盤に立設された仮杭の上にジャケット構造体をセットするときに用いる水平調整装置であって、
前記仮杭に対し前記ジャケット構造体を水平に調整保持することを特徴とするジャケット構造体の水平調整装置。
【請求項３】
請求項２記載のジャケット構造体の水平調整装置において、前記ジャケット構造体の底部と仮杭の先端間に介設されたスペーサからなることを特徴とするジャケット構造体の水平調整装置。
【請求項４】
請求項２記載のジャケット構造体の水平調整装置において、前記ジャケット構造体の底部と仮杭の先端間に設けられた昇降体であることを特徴とするジャケット構造体の水平調整装置。
【請求項５】
請求項４記載のジャケット構造体の水平調整装置において、前記昇降体は、仮杭の先端部に装着されていることを特徴とするジャケット構造体の水平調整装置。
【請求項６】
請求項４記載のジャケット構造体の水平調整装置において、前記昇降体は、ジャケット構造体の前記仮杭と対応する底部に埋設されていることを特徴とするジャケット構造体の水平調整装置。
【請求項７】
請求項２記載のジャケット構造体の水平調整機構において、ジャケット構造体上に設置された昇降体と、該昇降体のロッドに連結され、かつ先端が前記仮杭に対して進退する突張り体とからなることを特徴とするジャケット構造体の水平調整装置。
【請求項８】
請求項２記載のジャケット構造体の水平調整装置において、仮杭間に架装され、各仮杭を相対的に固定させる固定体であることを特徴とするジャケット構造体の水平調整装置。
【請求項９】
請求項２記載のジャケット構造体の水平調整装置にいて、
重錘と、重錘及びジャケット構造体間に引き掛けられた引張り部材と、該引張り部材を巻き取り及び繰り出す巻き取り機構とからなることを特徴とするジャケット構造体の水平調整装置。
【発明の詳細な説明】
【０００１】
【発明の属する技術分野】
この発明は、例えば橋脚等を水底地盤に建設するとき、その水底地盤に設置するジャケット構造体の施工方法、及びそのジャケット構造体の水平度を調整する水平調整装置に関する。
【０００２】
【従来の技術】
橋脚を建設するとき、海底等の水底地盤に鉄筋コンクリートによるフーチングを構築したり、また内部にコンクリートが打設されたケーソンを設置したりするのを不要にすることで、建設工事の容易化や低コスト化を図ったものとして、ジャケット式基礎を用いる技術が知られている。
【０００３】
図９は、従来のジャケット式基礎を構築する一例を示している。同図に鎖線にて示すように、杭ガイド部材２や連結部材３等によって台形形状に組立てられたジャケット構造体１は、工場にて製作されると、その後曳舟４等によって設置位置まで牽引され、設置位置に到達した後、図示しないクレーンによって吊り上げると共に、ジャケット構造体１のバランスをとりながら徐々に沈め、位置決めするため海底地盤６に予め立設された仮杭５の上にセットされる。この場合、ジャケット構造体１は、仮杭５に対し全体が水平にしてセットされる。
このように、仮杭５の上にジャケット構造体１がセットされた後、ジャケット構造体１の杭ガイド部材２を介し直杭及び斜杭が海底地盤に打ち込まれてジャケット構造体１が固定されることでジャケット式基礎が構成され、その上に橋脚が立設されることとなる
【０００４】
【発明が解決しようとする課題】
ところで、上記に示すジャケット構造体１においては、設置位置まで運搬された後、クレーンによってジャケット構造体１を吊りながら海中に徐々に沈降させていき、仮杭５の上に載せるので、その間、ジャケット構造体１が波力などによって仮杭５の上でずれたり揺れたりして上下に傾いてしまうばかりでなく、著しいときにはジャケット構造体１が倒れて危険性を招き、ジャケット構造体１を水平にセットするのに多くの労力や時間がかかるという問題があった。特に、海底地盤６での作業は地上の場合と異なり、作業に手間取るのが常であった。
【０００５】
この発明は、このような事情を考慮してなされたもので、その目的は、ジャケット構造体を簡単にかつ確実に水平にセットすることができるジャケット構造体の施工方法を提供することにあり、他の目的は、上記ジャケット構造体を確実に水平に施工することかできる水平調整装置を提供することにある。
【０００６】
【課題を解決するための手段】
上記目的を達成するために、この発明は以下の手段を提案している。
請求項１に係る発明は、水底地盤に立設された仮杭の上にジャケット構造体をセットするとき、前記ジャケット構造体を水平に調整保持して仮杭にセットすることを特徴とする。
【０００７】
この発明に係る施工方法によれば、水底地盤に立設された仮杭の上にジャケット構造体をセットするとき、ジャケット構造体を調整装置を用いて水平に調整して仮杭にセットするので、ジャケット構造体のセットを良好に行うことができる。
【０００８】
請求項２に係る発明は、水底地盤に立設された仮杭の上にジャケット構造体をセットするときに用いる水平調整装置であって、前記仮杭に対し前記ジャケット構造体を水平に調整保持することを特徴とする。
【０００９】
この発明に係る水平調整装置によれば、水中のような場所での作業であっても、ジャケット構造体の水平度を簡単に調整保持することができ、ジャケット構造体の施工を良好にかつ速やかに行うことができる。
【００１０】
請求項３に係る発明は、請求項２記載のジャケット構造体の水平調整装置において、前記ジャケット構造体の底部と仮杭の先端間に介設されたスペーサからなることを特徴とする。
【００１１】
この発明に係る水平調整装置によれば、ジャケット構造体の底部と仮杭間にスペーサによってジャケット構造体を水平にできるので、水中のような場所での作業であっても、ジャケット構造体の水平度を簡単に調整することができ、ジャケット構造体の施工を良好に行うことができる。
【００１２】
請求項４に係る発明は、請求項２記載のジャケット構造体の水平調整装置において、前記ジャケット構造体の底部と仮杭の先端間に設けられた昇降体であることを特徴とする。
【００１３】
この発明に係る水平調整装置によれば、昇降体の駆動によってジャケット構造体を水平に調整保持できるので、ジャケット構造体の水平度を簡単に出すことができると共に、いっそう簡単にセットすることができる。
【００１４】
請求項５に係る発明は、請求項４記載のジャケット構造体の水平調整装置において、前記昇降体は、仮杭の先端部に装着されていることを特徴とする。
【００１５】
この発明に係る水平調整装置によれば、昇降体の駆動によりジャケット構造体を上昇させてジャケット構造体を水平に調整保持できるので、ジャケット構造体の水平度を簡単に出すことができると共に、いっそう簡単にセットすることができる。
【００１６】
請求項６に係る発明は、請求項４記載のジャケット構造体の水平調整装置において、前記昇降体は、ジャケット構造体の前記仮杭と対応する底部に埋設されていることを特徴とする。
【００１７】
この発明に係る水平調整装置によれば、昇降体の駆動により仮杭に対しジャケット構造体を上昇させることで、ジャケット構造体を水平に調整保持できるので、ジャケット構造体の水平度を簡単に出すことができると共に、いっそう簡単にセットすることができる。
【００１８】
請求項７に係る発明は、請求項４記載のジャケット構造体の水平調整機構において、ジャケット構造体上に設置された昇降体と、該昇降体のロッドに連結され、先端が前記仮杭に対して進退する突張り体とからなることを特徴とする。
【００１９】
この発明に係る水平調整装置によれば、昇降体の駆動で突張り体が仮杭に前進すると、ジャケット構造体が持ち上がることでジャケット構造体を全体的に水平に調整保持できるので、ジャケット構造体の水平度を簡単に出すことができると共に、いっそう簡単にセットすることができる。
【００２０】
請求項８に係る発明は、請求項２記載のジャケット構造体の水平調整装置において、仮杭間に架装され、各仮杭を相対的に固定させる固定体であることを特徴とする。
【００２１】
この発明に係る水平調整装置によれば、全ての仮杭が揺れ動くおそれがないので、ジャケット構造体のずれを防ぐことができ、しかも仮杭が打設されたときに調整された同一高さに保たれるので、ジャケット構造体の一部が持ち上がったりすることがなくなり、ジャケット構造体の全面を全て同一水平で確実にセットすることができる。
【００２２】
請求項９に係る発明は、請求項２記載のジャケット構造体の水平調整装置において、重錘と、重錘及びジャケット構造体間に引き掛けられた引張り部材と、引張り部材を巻き取り及び繰り出す巻き取り機構とからなることを特徴とする。
【００２３】
この発明に係る水平調整装置によれば、重錘の重みを利用した引張り部材を繰り出したり巻き取ったりすることで、ジャケット構造体を水平にできるので、ジャケット構造体の水平調整を簡単に行うことができる。
【００２４】
【発明の実施の形態】
以下、図面を参照し、この発明の実施の形態について説明する。図１及び図２はこの発明の一実施の形態に係るジャケット構造体の施工方法を示す図であって、図１はジャケット構造体の施工方法を示す説明図、図２はジャケット構造体の施工方法を実施するための水平調整装置の第一の実施形態を示す拡大図で、これらの図において図９と同一部分には同一符号を付している。
この実施形態は、工場にて製作されたジャケット構造体１を、設置位置に打ち込まれた仮杭５にセットするための施工方法であって、ジャケット構造体１を仮杭５上にセットするとき、図１に示すような水平調整装置１０を用いることでジャケット構造体１を水平の状態に調整してセットできるようにしている。
【００２５】
水平調整装置１０としては、例えば図２に示すように、仮杭５の上にジャケット構造体１を載せたとき、仮杭５の先端に設けられた架台とジャケット構造体１の底部との間にスペーサ１１を介在させることで、ジャケット構造体１の全面が水平に安定して保たれるようにしている。
この場合、ジャケット構造体１を仮杭５に載置しやすいようにするため、ジャケット構造体１の連結部材３の底部に仮杭５の先端の架台７より大きめの形状で凹んだ凹部８を設けておき、架台７上に設けられたスペーサ１１がジャケット構造体１の凹部８から脱落しないようにしている。
なお、スペーサ１１は、例えば同一厚み寸法の金属板からなっているが、これに限らず、厚み寸法を違えた複数種類のものであってもよい。
【００２６】
このような水平調整装置１０は、ジャケット構造体１が工場にて製作されると、図９のように曳舟４等によって牽引され、設置位置に到達すると、図示しないクレーンで吊りながら海中に徐々に沈降され、図１に示すように、海底地盤６に打ち込まれている仮杭５の上に一旦載せることでジャケット構造体１の水平度を計測する。
【００２７】
このとき、ジャケット構造体１の一方に対し他方が上がって傾斜していると、このジャケット構造体１を前記クレーンによって一旦吊り上げた後、ジャケット構造体１の低くなっている近傍にある凹部８と仮杭５との間にスペーサ１１を入れ、その状態でジャケット構造体１を落ろすことで、スペーサ１１の厚み分だけジャケット構造体１の高さを調整することができるので、仮杭５のいずれに対し、ジャケット構造体１を水平の状態で容易にセットすることができる。
【００２８】
従って、仮杭５上にジャケット構造体１を最初に載置した時点で、ジャケット構造体１の水平が出なくとも、スペーサ１１によってジャケット構造体１を水平にしかも安定した状態にできるので、水中のような場所での作業であっても、ジャケット構造体１の水平度を簡単に調整することができ、ジャケット構造体１の施工を良好にかつ速やかに行うことができる。
【００２９】
また、水平調整装置１０として、スペーサ１１を用いると、仮杭５とジャケット構造体１間の隙間がスペーサ１１より大きい場合であっても、スペーサ１１を重ねる等して、その隙間の分に応じた厚みに簡単に調整することができ、従って、隙間の大きさに応じて厚みを変えることができるので、ジャケット構造体１のセットに要する作業時間の短縮化を図ることができる。
【００３０】
また、スペーサ１１として、同一厚みのものを複数枚用いるだけでなく、厚みの異なるものも用意すれば、より効果的であることはいうまでもない。
なお、上記実施形態では、仮杭５の先端部に架台７が設けられた例を示したが、架台７を用いないこともあり、その場合は例えば図３に示すように、仮杭５の先端部にジャケット構造体１を直接セットしてもよいのは勿論である。
【００３１】
図４は水平調整装置の第２の実施形態を示している。
この場合は、水平調整装置１０が仮杭５の先端に装着された昇降体１２で構成されている。
即ち、昇降体１２は、仮杭５の上端部にロッド１３を上向きにして取り付けられている。この昇降体１２は、外部からの駆動により内部に流体圧が供給されることでロッド１３を進退させる圧力式、或いは回すことでロッド１３を進退させる機械式で構成され、ロッド１３が前進することでジャケット構造体１を直に上下動させるようになっている。例えば、圧力式の昇降体としては油圧シリンダ、又機械式の昇降体はジャッキからなっている。
【００３２】
従って、水平調整装置１０は、ジャケット構造体１を仮杭５上に載せたときにジャケット構造体１の水平度を測定した後、ジャケット構造体１の低くなっている部分と近傍に装着されている昇降体１２を駆動し、ロッド１３を前進させてジャケット構造体１の低い部分を持ち上げることで、ジャケット構造体１を水平に調整することができる。
【００３３】
この水平調整装置によれば、昇降体１２の駆動によってジャケット構造体１を水平にできるので、スペーサ１１を用いる前記実施形態に比較すると、ジャケット構造体１を容易に水平にすることができ、ジャケット構造体１をいっそう簡単にセットすることができる。また、特に、水中での作業は地上の場合に比較して作業性が損なわれるものであるが、外部から駆動される昇降体１２を使用すれば、作業員がジャケット構造体１の近傍にいる危険性もなく、安全度を大幅に向上させることもできる。
なお、昇降体１２は、ジャケット構造体１のセット後、そのまま放置されるので、海水等の水が進入して腐食しないよう、良好なシール性を有するものであればよい。
【００３４】
図５は水平調整装置の第３の実施形態を示している。
この場合は、水平調整装置１０として、ジャケット構造体１の底部に埋設された昇降体１４によって構成されている。
即ち、昇降体１４は、ジャケット構造体１の連結部材３の底部にロッド１５が下方に前進可能に埋設され、ロッド１５が前進して仮杭５の架台７と当接してジャケット構造体１の低い部分が持ち上がることで、ジャケット構造体１が仮杭５に対し水平にセットされる。昇降体１４は、前述した実施形態の昇降体１２と基本的に同様であるので、その説明を省略する。
【００３５】
従って、この水平調整装置によれば、昇降体１４によってジャケット構造体１の低い部分を持ち上げることで、仮杭５にジャケット構造体１を水平にセットできるので、基本的には図３に示す実施形態と同様の作用効果が得られる。
【００３６】
図６は水平調節装置の第４の実施形態を示している。
この場合は、水平調整装置１０が、ジャケット構造体１の上部に設置された昇降体１６と、ジャケット構造体１内を挿通して昇降体１６及び仮杭５間に介設された突張り体（シャフト）１８とを備えて構成されている。
つまり、この水平調整装置１０は、ジャケット構造体１の上部に設置された昇降体１６のロッド１７の先端に下方に向かう突張り体１８が固定され、ロッド１７が前進したとき、突張り体１８にガイドされてジャケット構造体１が持ち上がることでジャケット構造体１を全体的に水平に調整できるようになっている。
【００３７】
従って、この水平調整装置によれば、ジャケット構造体１に設置された昇降体１６のロッド１７が前進したとき、突張り体１８を介してジャケット構造体１を水平に調整できるので、前述した図４及び図５の実施形態と略同様の効果が得られる。
【００３８】
図７は水平調整装置の第５の実施形態を示している。
この場合の水平調整装置１０は、仮杭５を互いに相対的に固定する固定板１９によって構成されている。固定板１９は、仮杭５と、これと隣り合う仮杭５を互いに固定する板状のものであって、例えば水中溶接等で仮杭５間に架装されることで、全ての仮杭５が左右に揺動するのを防ぐようにしている。
【００３９】
このような仮杭５上にジャケット構造体１を載せた場合、全ての仮杭５が揺れ動くおそれがないので、ジャケット構造体１のずれを防ぐことができ、しかも打設されたときに調整された同一高さに保たれるので、ジャケット構造体１の一部が持ち上がったりすることがなくなる結果、ジャケット構造体１の全面を全て同一水平で確実にセットすることができる。
【００４０】
この水平調整装置によれば、水中で固定板１９の溶接作業を必要とするものの、ジャケット構造体１を仮杭５に載置するだけで済むので、前述した実施形態に比較すると、極めて容易に施工することができる。なお、この実施形態では、通常採用される四本の仮杭５に適用したが、それ以外の本数の場合にも同様に適用できるのは勿論である。
【００４１】
図８は水平調整装置の第６の実施形態を示している。
この場合の水平調整装置１０は、重錘としてのシンカー２０の重みを利用してジャケット構造体１を水平状態に引張るようになっている。
即ち、予め、シンカー２０を仮杭５の周りに複数個（例えば四個）海底地盤に固定すると共に、シンカー２０及びジャケット構造体１間に引張り部材２１を引き掛けておき、ジャケット構造体１を仮杭５に載せるとき、引張り部材２１を巻き取り機構２２で繰り出したり巻き取ったりすることでジャケット構造体１を仮杭５に水平にセットするようにしている。この場合、図示していないが、ジャケット構造体１を構成する直杭の先端部を利用してジャケット構造体１の高さを調整すれば、ジャケット構造体１の上下方向の位置を固定するようになっている。
【００４２】
従って、この水平調整装置１０によれば、シンカー２０の重みを利用した引張り部材２１を繰り出したり巻き取ったりすることで、ジャケット構造体１を水平にできるので、ジャケット構造体１の水平調整を簡単に行うことができる。しかも、引張り部材２１の繰り出しや巻き取りを巻き取り機構２２によって行うので、安全性も保たれる。
【００４３】
【発明の効果】
以上説明したように、請求項１に係る発明によれば、水底地盤に立設された仮杭の上にジャケット構造体をセットするとき、ジャケット構造体を調整装置を用いて水平に調整して仮杭にセットするので、ジャケット構造体のセットを良好に行え、ジャケット構造体の施工を良好にかつ速やかに行うことができる効果が得られる。
【００４４】
請求項２に係る発明によれば、水中のような場所での作業であっても、ジャケット構造体の水平度を簡単に調整保持することができ、ジャケット構造体の施工を良好にかつ速やかに行うことができる効果が得られる。
【００４５】
請求項３に係る発明によれば、ジャケット構造体の水平度を簡単に調整することができ、ジャケット構造体の施工を良好に行うことができる効果が得られる。
【００４６】
請求項４に係る発明によれば、昇降体の駆動によってジャケット構造体の水平度を簡単に出すことができると共に、いっそう簡単にセットできる効果が得られる。
【００４７】
請求項５に係る発明によれば、昇降体によりジャケット構造体を上昇させてジャケット構造体を水平に調整保持できるので、ジャケット構造体の水平度を簡単に出すことができると共に、いっそう簡単にセットできる効果が得られる。
【００４８】
請求項６に係る発明によれば、昇降体の駆動により仮杭に対しジャケット構造体を上昇させることで、ジャケット構造体を水平に調整保持できるので、ジャケット構造体の水平度を簡単に出すことができると共に、いっそう簡単にセットできる効果が得られる。
【００４９】
請求項７に係る発明によれば、昇降体の駆動で突張り体が仮杭に前進することでジャケット構造体を全体的に水平に調整保持できるので、ジャケット構造体の水平度を簡単に出すことができると共に、いっそう簡単にセットできる効果が得られる。
【００５０】
請求項８に係る発明によれば、ジャケット構造体のずれを防ぐことができ、しかも仮杭が同一高さに保たれるので、ジャケット構造体の一部が持ち上がったりすることがなくなり、ジャケット構造体の全面を全て同一水平で確実にセットできる効果が得られる。
【００５１】
請求項９に係る発明によれば、重錘の重みを利用した引張り部材を繰り出したり巻き取ったりすることで、ジャケット構造体を水平にできるので、ジャケット構造体の水平調整を簡単に行うことができる効果が得られる。
【図面の簡単な説明】
【図１】この発明の一実施の形態に係るジャケット構造体の施工方法を示す説明図である。
【図２】ジャケット構造体の施工方法を実施するための水平調整装置の第１の実施形態を示す拡大図である。
【図３】仮杭の変形例を示す図２に対応する説明図である。
【図４】ジャケット構造体の施工方法を実施するための水平調整装置の第２の実施形態を示す拡大図である。
【図５】ジャケット構造体の施工方法を実施するための水平調整装置の第３の実施形態を示す拡大図である。
【図６】ジャケット構造体の施工方法を実施するための水平調整装置の第４の実施形態を示す拡大図である。
【図７】ジャケット構造体の施工方法を実施するための水平調整装置の第５の実施形態を示す拡大図である。
【図８】ジャケット構造体の施工方法を実施するための水平調整装置の第６の実施形態を示す説明図である。
【図９】従来のジャケット構造体の施工例を示す説明図である。
【符号の説明】
１　　ジャケット構造体
２　　杭ガイド部材
３　　連結部材
５　　仮杭
６　　海底地盤（水底地盤）
１０　　水平調整装置
１１　　スペーサ
１２、１４、１６　　昇降体
１３、１５、１７　　ロッド
１８　　突張り体（シャフト）
１９　　固定板
２０　　シンカー（重錘）
２１　　引張り部材
【図１】
2004044199.tif 000003
【図２】
2004044199.tif 000004
【図３】
2004044199.tif 000005
【図４】
2004044199.tif 000006
【図５】
2004044199.tif 000007
【図６】
2004044199.tif 000008
【図７】
2004044199.tif 000009
【図８】
2004044199.tif 000010
【図９】
2004044199.tif 000011